(57)【要約】【課題】操作者がエントリ端末から簡単に新たなインターネットバンキングのプロトタイプ、商品情報を作成し、データベースに格納できるようにする。【解決手段】エントリ端末１０からの入力パラメータをルール情報自動生成システム２０の入力パラメータ解析部２１０が受信し、データベースアクセス部２４０が対応するサブカテゴリがプロトタイプデータベース２５０に存在すると判断すると、エントリ端末１０に表示し、選択、修正された名称・条件を商品情報としてルールデータベース４１０に格納する。対応するサブカテゴリが存在しないと、対応するカテゴリの条件をパターンデータベース２６０から抽出し、ルール情報自動生成部２２０が入力パラメータ解析部２１０を介してエントリ端末１０に表示させ、名称、選択された条件を元に、データを作成し、プロトタイプデータベース２５０に格納させ、ルールデータベース４１０に格納させる。【選択図】      図１
2004178416.tif 000002
【特許請求の範囲】
【請求項１】
カテゴリ、サブカテゴリ、および、条件を格納するプロトタイプデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手段とを有することを特徴とするルール情報自動生成システム。
【請求項２】
カテゴリ、サブカテゴリ、および、条件を格納するプロトタイプデータベース装置と、カテゴリ、および条件を格納するパターンデータベース装置と、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段とを有することを特徴とするルール情報自動生成システム。
【請求項３】
カテゴリ、サブカテゴリ、および、条件を格納するプロトタイプデータベース装置と、カテゴリ、および条件を格納するパターンデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段とを有することを特徴とするルール情報自動生成システム。
【請求項４】
カテゴリ、サブカテゴリ、および、条件を格納するプロトタイプデータベース装置と、カテゴリ、および条件を格納するパターンデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段と、前記エントリ端末からの更新データ、指示を入力し、前記プロトタイプデータベース装置、または、前記パターンデータベース装置の内容を更新するメンテナンス手段とを有することを特徴とするルール情報自動生成システム。
【請求項５】
ネットワークを介し、複数の前記ルール情報作成手段から使用される前記プロトタイプデータベース装置、前記パターンデータベース装置を有することを特徴とする請求項３、または、請求項４記載のルール情報自動生成システム。
【請求項６】
カテゴリ、サブカテゴリ、および、条件を格納するプロトタイプデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手順を含むことを特徴とするルール情報自動生成方法。
【請求項７】
カテゴリ、サブカテゴリ、および、条件を格納するプロトタイプデータベース装置、および、カテゴリ、および条件を格納するパターンデータベース装置を利用する、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順を含むことを特徴とするルール情報自動生成方法。
【請求項８】
カテゴリ、サブカテゴリ、および、条件を格納するプロトタイプデータベース装置、および、カテゴリ、および条件を格納するパターンデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順を含むことを特徴とするルール情報自動生成方法。
【請求項９】
カテゴリ、サブカテゴリ、および、条件を格納するプロトタイプデータベース装置、および、カテゴリ、および条件を格納するパターンデータベース装置を使用し、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順と、前記エントリ端末からの更新データ、指示を入力し、前記プロトタイプデータベース装置、または、前記パターンデータベース装置の内容を更新するメンテナンス手順とを含むことを特徴とするルール情報自動生成方法。
【請求項１０】
カテゴリ、サブカテゴリ、および、条件を格納するプロトタイプデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手順をコンピュータに実行させることを特徴とするルール情報自動生成プログラム。
【請求項１１】
カテゴリ、サブカテゴリ、および、条件を格納するプロトタイプデータベース装置、および、カテゴリ、および条件を格納するパターンデータベース装置を利用する、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順をコンピュータに実行させることを特徴とするルール情報自動生成プログラム。
【請求項１２】
カテゴリ、サブカテゴリ、および、条件を格納するプロトタイプデータベース装置、および、カテゴリ、および条件を格納するパターンデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順をコンピュータに実行させることを特徴とするルール情報自動生成プログラム。
【請求項１３】
カテゴリ、サブカテゴリ、および、条件を格納するプロトタイプデータベース装置、および、カテゴリ、および条件を格納するパターンデータベース装置を使用し、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順と、前記エントリ端末からの更新データ、指示を入力し、前記プロトタイプデータベース装置、または、前記パターンデータベース装置の内容を更新するメンテナンス手順とをコンピュータに実行させることを特徴とするルール情報自動生成プログラム。
【発明の詳細な説明】
【０００１】
【発明の属する技術分野】
本発明は、ルール情報自動生成システム、ルール情報自動生成方法、ルール情報自動生成プログラムに関し、特に、インターネットバンキングシステムにおけるルール情報自動生成システム、ルール情報自動生成方法、ルール情報自動生成プログラムに関する。
【０００２】
【従来の技術】
従来、銀行等におけるインターネットバンキングシステム等において、顧客囲い込みのための機能として顧客一人一人の個人情報をもとにして個人の必要とする情報を推測し、インターネットを利用して商品情報の提供を行うもの（ワン・ツー・ワン機能）がある。ただし、この機能を十分に活用するために、個人が必要とする情報を推測するための情報と銀行の商品とを関連付けるルール情報を充実させる必要がある。
【０００３】
従来の手法では、これらのルール情報の生成は銀行担当者が手動で顧客個人情報をもとに様々なパターン分けを行い、そのパターンごとに銀行の商品をあてはめていくという手法がとられる。
【０００４】
たとえば、特許文献１記載の発明は、「所定数の顧客端末が接続されたコンピュータネットワークに接続されるもので、金融商品を販売する対象の所定数の顧客のうち、所定条件で区分したターゲット層を定め、当該ターゲット層に応じた所定種類の金融商品を設定しておき、当該ターゲット層に対して対応する金融商品を特定して提供する金融商品提供支援システムであって、少なくとも、前記顧客のターゲット層を特定する条件データより、前記金融商品を特定させる要素を特定していくための所定数の特定情報が関連付けられて格納される所定数のテーブルと、前記顧客端末の何れかよりアクセスされることで取得する前記条件データに基づき、前記所定数のテーブルのうち、対応のテーブルに格納された特定情報を前記関連付けに応じて展開するもので、少なくとも当該顧客のターゲット層に対する所定数の金融商品の情報を特定するために前記所定数のテーブルを展開するテーブル展開手段と、前記展開される所定のテーブルに基づき、各要素に応じて所定数の金融商品を特定していく商品特定手段と、前記特定した所定数の金融商品について、前記コンピュータネットワーク上に配信するためのファイルを作成し、当該対象顧客端末に送信するファイル作成配信手段と」を有する技術である。
【０００５】
【特許文献１】
特開２００２−９２３３６号公報
【０００６】
【発明が解決しようとする課題】
上述した特許文献１記載の技術の第１の問題点は、金融商品のデータベースのルール情報の生成に関して時間がかかることと高度な知識を有することである。
【０００７】
その理由は、顧客情報をもとに金融商品に合わせたルールを生成するということは、かなりの経験を積んだ担当者が行わなければならないからである。
【０００８】
第２の問題点は、ルール情報のメンテナンスが困難なことである。
【０００９】
その理由は、ルール情報のメンテナンスを行う場合、ＯＲＡＣＬＥ等のデータベースに格納された情報を担当者が直接修正しなければならないからである。
【００１０】
第３の問題点は、情報資源の再利用が行えないことである。
【００１１】
その理由は、各銀行が独自にルール情報を生成する為に共通的に利用可能なルール情報の部分も隠蔽化されてしまうからである。
【００１２】
本発明の第１の目的は、操作者がエントリ端末から簡単に新たなプロトタイプ、商品情報を作成し、データベースに格納できるインターネットバンキングシステムにおけるルール情報の自動生成システムを実現することである。
【００１３】
第２の目的は、プロトタイプ、パターン（条件のテンプレート）を容易に更新できるインターネットバンキングシステムにおけるルール情報の自動生成システムを実現することである。
【００１４】
第３の目的は、プロトタイプ、パターン（条件のテンプレート）を共用し、コストを下げるインターネットバンキングシステムにおけるルール情報の自動生成システムを実現することである。
【００１５】
【課題を解決するための手段】
本発明の第１のルール情報自動生成システムは、カテゴリ、サブカテゴリ、および、条件を格納するプロトタイプデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手段とを有することを特徴とする。
【００１６】
本発明の第２のルール情報自動生成システムは、カテゴリ、サブカテゴリ、および、条件を格納するプロトタイプデータベース装置と、カテゴリ、および条件を格納するパターンデータベース装置と、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段とを有することを特徴とする。
【００１７】
本発明の第３のルール情報自動生成システムは、カテゴリ、サブカテゴリ、および、条件を格納するプロトタイプデータベース装置と、カテゴリ、および条件を格納するパターンデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段とを有することを特徴とする。
【００１８】
本発明の第４のルール情報自動生成システムは、カテゴリ、サブカテゴリ、および、条件を格納するプロトタイプデータベース装置と、カテゴリ、および条件を格納するパターンデータベース装置と、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手段と、前記エントリ端末からの更新データ、指示を入力し、前記プロトタイプデータベース装置、または、前記パターンデータベース装置の内容を更新するメンテナンス手段とを有することを特徴とする。
【００１９】
本発明の第５のルール情報自動生成システムは、前記第３、または、第４のルール情報自動生成システムであって、ネットワークを介し、複数の前記ルール情報作成手段から使用される前記プロトタイプデータベース装置、前記パターンデータベース装置を有することを特徴とする。
【００２０】
本発明の第１のルール情報自動生成方法は、カテゴリ、サブカテゴリ、および、条件を格納するプロトタイプデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手順を含むことを特徴とする。
【００２１】
本発明の第２のルール情報自動生成方法は、カテゴリ、サブカテゴリ、および、条件を格納するプロトタイプデータベース装置、および、カテゴリ、および条件を格納するパターンデータベース装置を利用する、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順を含むことを特徴とする。
【００２２】
本発明の第３のルール情報自動生成方法は、カテゴリ、サブカテゴリ、および、条件を格納するプロトタイプデータベース装置、および、カテゴリ、および条件を格納するパターンデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順を含むことを特徴とする。
【００２３】
本発明の第４のルール情報自動生成方法は、カテゴリ、サブカテゴリ、および、条件を格納するプロトタイプデータベース装置、および、カテゴリ、および条件を格納するパターンデータベース装置を使用し、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順と、前記エントリ端末からの更新データ、指示を入力し、前記プロトタイプデータベース装置、または、前記パターンデータベース装置の内容を更新するメンテナンス手順とを含むことを特徴とする。
【００２４】
本発明の第１のルール情報自動生成プログラムは、カテゴリ、サブカテゴリ、および、条件を格納するプロトタイプデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させるルール情報作成手順をコンピュータに実行させることを特徴とする。
【００２５】
本発明の第２のルール情報自動生成プログラムは、カテゴリ、サブカテゴリ、および、条件を格納するプロトタイプデータベース装置、および、カテゴリ、および条件を格納するパターンデータベース装置を利用する、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順をコンピュータに実行させることを特徴とする。
【００２６】
本発明の第３のルール情報自動生成プログラムは、カテゴリ、サブカテゴリ、および、条件を格納するプロトタイプデータベース装置、および、カテゴリ、および条件を格納するパターンデータベース装置を利用する、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順をコンピュータに実行させることを特徴とする。
【００２７】
本発明の第４のルール情報自動生成プログラムは、カテゴリ、サブカテゴリ、および、条件を格納するプロトタイプデータベース装置、および、カテゴリ、および条件を格納するパターンデータベース装置を使用し、エントリ端末から入力した入力パラメータに対応するカテゴリ、および、サブカテゴリが前記プロトタイプデータベースに存在すれば、前記プロトタイプデータベース装置から対応するサブカテゴリの条件を取り出し、前記エントリ端末に送信し、前記エントリ端末から選択、修正されたサブカテゴリの条件、名称を入力し、選択、修正されたサブカテゴリの条件、名称を商品情報としてルールデータベース装置に格納させ、前記プロトタイプデータベース装置にエントリ端末から入力した入力パラメータに対応するカテゴリが存在し、かつ、サブカテゴリが存在しなければ、前記パターンデータベース装置から対応するカテゴリに対応する条件を取り出し、前記エントリ端末に送信し、前記エントリ端末から選択、修正された条件、名称を入力し、選択、修正された条件、名称をデータとして、前記プロトタイプデータベース装置に格納し、選択、修正された条件、名称を商品情報としてルールデータベース装置に格納させるルール情報作成手順と、前記エントリ端末からの更新データ、指示を入力し、前記プロトタイプデータベース装置、または、前記パターンデータベース装置の内容を更新するメンテナンス手順とをコンピュータに実行させることを特徴とする。
【００２８】
【発明の実施の形態】
次に、本発明の第１の実施の形態について図面を参照して詳細に説明する。
【００２９】
図１は、本発明の第１の実施の形態の構成を示すブロック図である。
【００３０】
図１を参照すると、本発明の第１の実施の形態は、１以上のエントリ端末１０（パーソナルコンピュータ等）と、ルール情報自動生成システム２０（サーバー等で構成される）と、インターネットバンキングシステム３０（サーバー等で構成される）と、ワン・ツー・ワン機能エンジン４０（サーバー等で構成される）と、１以上のエンドユーザ端末５０（パーソナルコンピュータ等）とから構成される。
【００３１】
また、ルール情報自動生成システム２０は、入力パラメータ解析部２１０と、ルール情報自動生成部２２０と、メンテナンス部２３０と、データベースアクセス部２４０と、プロトタイプデータベース２５０（記憶装置等）と、パターンデータベース２６０（記憶装置等）とから構成される。
【００３２】
また、インターネットバンキングシステム３０は、ワン・ツー・ワン部３１０と、インターネットバンキング部３２０と、顧客データベース３３０（記憶装置等）とを持つ。
【００３３】
また、ワン・ツー・ワン機能エンジン４０は、ルールデータベース４１０（記憶装置等）を持つ。
【００３４】
入力パラメータ解析部２１０は、エントリ端末１０から入力された入力パラメータをもとに、プロトタイプデータベース２５０に類似する類似ルール情報が存在するかどうかの検索を行い、類似ルールが存在する場合は、その入力パラメータをもとにカスタマイズを行う機能を持つ。また、類似ルールが存在しない場合は制御をルール情報自動生成部２２０へと移す。
【００３５】
ルール情報自動生成部２２０は、予めルール生成用の情報をパターン化されているパターンデータベース２６０、および、入力パラメータをもとに最適のルール情報を導き出す機能を持つ。
【００３６】
データベースアクセス部２４０は、ルール情報自動生成システム２０のプロトタイプデータベース２５０、および、パターンデータベース２６０に対するアクセス制御の機能、および、様々な種類のワン・ツー・ワン機能エンジン４０のルールデータベース４１０に対するアクセス制御の機能を持つ。
【００３７】
インターネットバンキングシステム３０、および、ワン・ツー・ワン機能エンジン４０は、当業者にとってよく知られているものである。
【００３８】
次に、本発明の第１の実施の形態の動作について図面を参照して詳細に説明する。
【００３９】
図２は、本発明の動作を示すフローチャートである。
【００４０】
図３は、本発明の動作を示すフローチャートである。
【００４１】
図４は、プロトタイプデータベース２５０の具体例を示す説明図である。
【００４２】
図４を参照すると、プロトタイプデータベース２５０には、一般的に銀行等で使用される条件が格納される。
【００４３】
たとえば、＜定期商品情報紹介＞として、「ＡＡＡ定期預金」に対しては、（条件１：顧客が男性の場合に適用）、（条件２：顧客が既婚の場合に適用）、（条件３：普通預金残高が５０万円以上の場合に適用）の３条件が含まれる。「ＢＢＢ定期預金」に対しては、（条件１：顧客が女性の場合に適用）、（条件２：顧客が未婚の場合に適用）、（条件３：普通預金残高が３０万円以上の場合に適用）の３条件が含まれる。
【００４４】
また、たとえば、＜融資商品情報紹介＞として、「ＣＣＣローン」に対しては、（条件１：顧客が会社員の場合に適用）、（条件２：顧客が未婚の場合に適用）、（条件３：普通預金残高が１０万円以下の場合に適用）の３条件が含まれる。「ＤＤＤローン」に対しては、（条件１：顧客が女性の場合に適用）、（条件２：顧客がマイカー未保有の場合に適用）、（条件３：普通預金残高が３０万円以上の場合に適用）の３条件が含まれる。
【００４５】
図５は、パターンデータベース２６０の具体例を示す説明図である。
【００４６】
図５を参照すると、パターンデータベース２６０には、ルール情報を構成する各条件がカテゴリに分かれて格納される。
【００４７】
たとえば、＜定期商品情報紹介ルール用＞として、（条件１：顧客が男性の場合に適用）、（条件２：顧客が女性の場合に適用）、（条件３：顧客が既婚の場合に適用）、（条件４：顧客が未婚の場合に適用）、（条件５：普通預金残高×××の場合に適用（×××は、可変とする））の５条件が含まれる。
【００４８】
また、たとえば、＜融資商品情報紹介ルール用＞として、（条件１：顧客の職業が×××の場合に適用（×××は可変とする））、（条件２：顧客が既婚の場合に適用）、（条件３：顧客が未婚の場合に適用）、（条件４：普通預金残高×××の場合に適用（×××は可変とする））の４条件が含まれる。
【００４９】
図６は、ルールデータベース４１０の具体例を示す説明図である。
【００５０】
図６を参照すると、ルールデータベース４１０は、ルール情報自動生成システム２０により作成されたルール情報を含む商品情報が格納され、ルール情報作成後にルールエンジンに最終的に参照される。
【００５１】
たとえば、定期商品情報として、「ＺＺＺ定期保険」（条件１：顧客が男性の場合に適用）、（条件２：顧客が既婚の場合に適用）、（条件３：普通預金残高１００万円以上の場合に適用）の３条件が含まれる。
【００５２】
次に、実際の動作に関して説明する。
【００５３】
まず、エントリ端末１０から入力パラメータがルール情報自動生成システム２０の入力パラメータ解析部２１０に送信される（図２ステップＳ１）。入力パラメータとは、たとえば、定期商品情報紹介（カテゴリ）「５年もの定期預金（サブカテゴリ）」であることを示す値、普通預金残高が１００万円以上の場合に適用」であることを示す値である。
【００５４】
次に、入力パラメータ解析部２１０は、エントリ端末１０から入力パラメータを受信すると、データベースアクセス部２４０に通知し（図２ステップＳ２）、データベースアクセス部２４０は、入力パラメータに対応するカテゴリ、サブカテゴリがプロトタイプデータベース２５０に存在するかどうかを調べる（図２ステップＳ３）。たとえば、「ＡＡＡ定期預金」、「ＢＢＢ定期預金」は、定期商品情報紹介というカテゴリの定期預金というサブカテゴリであり、「５年もの定期預金」のサブカテゴリと同一である。
【００５５】
データベースアクセス部２４０は、入力パラメータに対応するサブカテゴリがプロトタイプデータベース２５０に存在すると（図２ステップＳ３／ＹＥＳ）、そのサブカテゴリの条件を入力パラメータ解析部２１０に通知する（図２ステップＳ４）。たとえば、「ＡＡＡ定期預金」の（条件１：顧客が男性の場合に適用）、（条件２：顧客が既婚の場合に適用）、（条件３：普通預金残高が５０万円以上の場合に適用）の３条件、「ＢＢＢ定期預金」の（条件１：顧客が女性の場合に適用）、（条件２：顧客が未婚の場合に適用）、（条件３：普通預金残高が３０万円以上の場合に適用）の３条件を通知する。
【００５６】
入力パラメータ解析部２１０は、通知されたサブカテゴリの条件を受け取ると、エントリ端末１０に送信する（図２ステップＳ５）。
【００５７】
エントリ端末１０は、サブカテゴリの条件を受信すると、ディスプレイ等に表示する（図２ステップＳ６）。エントリ端末１０の操作者が、表示されたサブカテゴリの条件を閲覧し、マウス、キーボード等を使用して条件の選択を入力し、修正を入力すると、エントリ端末１０は、選択、修正されたサブカテゴリの条件を入力パラメータ解析部２１０に送信する（図２ステップＳ７）。たとえば、「ＡＡＡ定期預金」の（条件１：顧客が男性の場合に適用）、（条件２：顧客が既婚の場合に適用）、（条件３：普通預金残高が５０万円以上の場合に適用）の３条件が選択され、（条件３：普通預金残高が５０万円以上の場合に適用）が、（条件３：普通預金残高が１００万円以上の場合に適用）と修正され、「ＡＡＡ定期預金」が「ＹＹＹ定期預金」と修正される。これらの選択、修正されたサブカテゴリの名称・条件が入力パラメータ解析部２１０に送信される。
【００５８】
入力パラメータ解析部２１０は、選択、修正されたサブカテゴリの名称・条件を受信すると、データベースアクセス部２４０に通知する（図２ステップＳ８）。
【００５９】
データベースアクセス部２４０は、ワン・ツー・ワン機能エンジン４０に選択、修正されたサブカテゴリの条件、および、名称（たとえば、ＹＹＹ定期預金）を送信する。
【００６０】
ワン・ツー・ワン機能エンジン４０は、ルール情報自動生成システム２０のデータベースアクセス部２４０から、選択、修正されたサブカテゴリの名称（たとえば、ＹＹＹ定期預金）・条件を受信すると、選択、修正されたサブカテゴリの名称・条件を名称とともに、ルールデータベース４１０に１つの商品情報として格納する（図２ステップＳ９）。
【００６１】
データベースアクセス部２４０は、入力パラメータに対応するカテゴリが存在し、または、サブカテゴリが存在しないと（図２ステップＳ３／ＮＯ）、プロトタイプデータベース２５０に、入力パラメータに対応するカテゴリが存在し、かつ、サブカテゴリが存在しなければ（図３ステップＳ１０／ＹＥＳ）、存在しないことを入力パラメータ解析部２１０に通知する（図３ステップＳ１１）。
【００６２】
入力パラメータ解析部２１０は、ルール情報自動生成部２２０にサブカテゴリの属するカテゴリ（サブカテゴリ定期預金は、カテゴリ＜定期商品情報紹介＞に属する）、および、ルールの作成指示を通知する（図３ステップＳ１２）。
【００６３】
ここで、カテゴリが存在しない場合には（図３ステップＳ１０／ＮＯ）、データベースアクセス部２４０は、入力パラメータ解析部２１０に、カテゴリが存在しないことを通知し、入力パラメータ解析部２１０は、エントリ端末１０にカテゴリが存在しないことを示す警告を送信する。エントリ端末１０は、ディスプレイ等に警告を表示する。
【００６４】
ルール情報自動生成部２２０は、カテゴリ、ルールの作成指示を受け取ると、データベースアクセス部２４０に通知する（図３ステップＳ１３）。
【００６５】
データベースアクセス部２４０は、カテゴリ、ルールの作成指示を受け取ると、パターンデータベース２６０から、カテゴリに対応する条件を抽出し、ルール情報自動生成部２２０に通知する（図３ステップＳ１４）。たとえば、（条件１：顧客が男性の場合に適用）、（条件２：顧客が女性の場合に適用）、（条件３：顧客が既婚の場合に適用）、（条件４：顧客が未婚の場合に適用）、（条件５：普通預金残高×××の場合に適用（×××は、可変とする））の５条件が通知される。
【００６６】
ルール情報自動生成部２２０は、カテゴリに対応する条件を受け取ると、入力パラメータ解析部２１０に通知する（図３ステップＳ１５）。
【００６７】
入力パラメータ解析部２１０は、ルール情報自動生成部２２０からのカテゴリに対応する条件をエントリ端末１０に送信する（図３ステップＳ１６）。
【００６８】
エントリ端末１０は、入力パラメータ解析部２１０からカテゴリに対応する条件を受信すると、ディスプレイ等に表示する（図３ステップＳ１７）。
【００６９】
エントリ端末１０の操作者が、表示された（条件１：顧客が男性の場合に適用）、（条件２：顧客が女性の場合に適用）、（条件３：顧客が既婚の場合に適用）、（条件４：顧客が未婚の場合に適用）、（条件５：普通預金残高×××の場合に適用（×××は、可変とする））の５条件から、条件１、条件３、条件５を選択し、さらに、×××に、１００万円以上を入力し、さらに、名称「ＺＺＺ定期保険」を入力すると、エントリ端末１０は、これを受け付け、入力パラメータ解析部２１０に送信する（図３ステップＳ１８）。
【００７０】
入力パラメータ解析部２１０は、エントリ端末１０から選択された条件、および、名称を受信すると、ルール情報自動生成部２２０に通知する（図３ステップＳ１９）。
【００７１】
ルール情報自動生成部２２０は、名称、および、選択された条件に基づいて、「ＺＺＺ定期保険」、（条件１：顧客が男性の場合に適用）、（条件２：顧客が既婚の場合に適用）、（条件３：普通預金残高１００の場合に適用）の組をカテゴリ＜定期商品情報紹介＞、サブカテゴリ「定期保険」のデータとして、データベースアクセス部２４０に通知し、これらをプロトタイプデータベース２５０、ワン・ツー・ワン機能エンジン４０のルールデータベース４１０に格納する指示を通知する（図３ステップＳ２０）。
【００７２】
データベースアクセス部２４０は、ルール情報自動生成部２２０の指示を受け取ると、「ＺＺＺ定期保険」、（条件１：顧客が男性の場合に適用）、（条件２：顧客が既婚の場合に適用）、（条件３：普通預金残高１００の場合に適用）の組をカテゴリ＜定期商品情報紹介＞、サブカテゴリ「定期保険」のデータとしてプロトタイプデータベース２５０に格納し、かつ、ワン・ツー・ワン機能エンジン４０に送信する（図３ステップＳ２２）。
【００７３】
ワン・ツー・ワン機能エンジン４０は、名称「ＺＺＺ定期保険」、（条件１：顧客が男性の場合に適用）、（条件２：顧客が既婚の場合に適用）、（条件３：普通預金残高１００の場合に適用）を１つの商品情報としてルールデータベース４１０に格納する（図３ステップＳ２３）。
【００７４】
顧客に使用されるエンドユーザ端末５０から、インターネットバンキングシステム３０に商品の問い合わせが送信されると、インターネットバンキングシステム３０のインターネットバンキング部３２０が受信し、ワン・ツー・ワン部３１０に通知する。ワン・ツー・ワン部３１０は、エンドユーザ端末５０を使用する顧客の顧客情報を顧客データベース３３０から取り出し、顧客情報に適合する商品情報（たとえば、「ＺＺＺ定期保険」、（条件１：顧客が男性の場合に適用）、（条件２：顧客が既婚の場合に適用）、（条件３：普通預金残高１００の場合に適用））をワン・ツー・ワン機能エンジン４０のルールデータベース４１０から抽出し、インターネットバンキング部３２０に通知する。
【００７５】
インターネットバンキング部３２０は、ワン・ツー・ワン部３１０からの商品のデータをエンドユーザ端末５０に送信する。
【００７６】
エンドユーザ端末５０は、受信した商品のデータをディスプレイ等に表示し、顧客は、商品のデータを閲覧できる。
【００７７】
操作者がエントリ端末１０からプロトタイプデータベース２５０、または、パターンデータベース２６０の更新（更新データを含む）をルール情報自動生成システム２０に指示すると、ルール情報自動生成システム２０のメンテナンス部２３０が更新をデータベースアクセス部２４０に通知し、データベースアクセス部２４０は、プロトタイプデータベース２５０、または、パターンデータベース２６０内のデータの更新を実施する。
【００７８】
プロトタイプデータベース２５０、または、パターンデータベース２６０を１つの企業（たとえば、銀行）のルール情報自動生成システム２０の内部に持つのではなく、共同利用の形態をとり、複数のルール情報自動生成システム２０からネットワーク（インターネット等）を介して利用する構成も可能である。
【００７９】
次に、本発明の第２の実施の形態について図面を参照して詳細に説明する。
【００８０】
本発明の第２の実施の形態は、図２、図３の各ステップを含む方法である。
【００８１】
次に、本発明の第３の実施の形態について図面を参照して詳細に説明する。
【００８２】
本発明の第３の実施の形態は、本発明の第２の実施の形態の各ステップをコンピュータに実行させるプログラムである。
【００８３】
【発明の効果】
第１の効果は、詳細なルール情報の生成が簡単かつ迅速に行うことが出来ることである。
【００８４】
その理由は、多量の過去情報がパターン化されてデータベースに格納されており、担当者はシステムからの入力要求情報をエントリ端末１０から入力することにより、生成出来るからである。
【００８５】
第２の効果は、メンテナンスにおいても簡単かつ高品質に行うことが出来ることである。
【００８６】
その理由は、エントリ端末１０を利用し、会話形式で必要情報を入力していくことができるからである。
【図面の簡単な説明】
【図１】本発明の第１の実施の形態の構成を示すブロック図である。
【図２】本発明の動作を示すフローチャートである。
【図３】本発明の動作を示すフローチャートである。
【図４】プロトタイプデータベースの具体例を示す説明図である。
【図５】パターンデータベースの具体例を示す説明図である。
【図６】ルールデータベースの具体例を示す説明図である。
【符号の説明】
１０    エントリ端末
２０    ルール情報自動生成システム
３０    インターネットバンキングシステム
４０    ワン・ツー・ワン機能エンジン
２１０    入力パラメータ解析部
２２０    ルール情報自動生成部
２３０    メンテナンス部
２４０    データベースアクセス部
２５０    プロトタイプデータベース
２６０    パターンデータベース
３１０    ワン・ツー・ワン部
３２０    インターネットバンキング部
３３０    顧客データベース
４１０    ルールデータベース
【図１】
2004178416.tif 000003
【図２】
2004178416.tif 000004
【図３】
2004178416.tif 000005
【図４】
2004178416.tif 000006
【図５】
2004178416.tif 000007
【図６】
2004178416.tif 000008